(57)【要約】【課題】  ３Ｄスキャナシステムを各店舗毎に設置しなくても顧客の体型に即した３Ｄボディデータを安価にかつ簡単に得ることができるバーチャル３Ｄボディ作成システム、及びそのバーチャル３Ｄボディ作成システムを備えるオーダーメイド用型紙作成システムを提供すること。【解決手段】  顧客を正面及び側面から撮影する撮影手段１１０と、その撮影結果に基づいて顧客２Ｄシルエットボディデータを作成するシルエット抽出手段１２０と、その顧客２Ｄシルエットボディデータから基準点データを抽出する基準点抽出手段１２０と、予め３Ｄスキャナシステムを用いた計測によって得られた複数の基準体３Ｄボディデータを記憶する３Ｄボディデータベース中から、顧客２Ｄシルエットボディデータと近似の基準体３Ｄボディデータを選択する近似データ選択手段１３０と、基準点データに基づいて、近似の基準体３Ｄボディデータを変形する変形手段１３０とを備えていることを特徴としている。【選択図】  図１
2006059143.tif 000002
【特許請求の範囲】
【請求項１】
オーダーメイドの衣服を作成するために用いられるバーチャル３Ｄボディ作成システムにおいて、
顧客を正面及び側面から撮影する撮影手段と、
該撮影手段の撮影結果に基づいて顧客の正面及び側面からのシルエットを示す顧客２Ｄシルエットボディデータを作成するシルエット抽出手段と、
該シルエット抽出手段により抽出された顧客２Ｄシルエットボディデータから基準点データを抽出する基準点抽出手段と、
該基準点抽出手段により抽出された基準点データに基づいて、予め３Ｄスキャナシステムを用いた計測によって得られた複数の基準体３Ｄボディデータを記憶する３Ｄボディデータベース中から、前記顧客２Ｄシルエットボディデータと近似の基準体３Ｄボディデータを選択する近似データ選択手段と、
前記基準点抽出手段により抽出された基準点データに基づいて、前記近似の基準体３Ｄボディデータを変形する変形手段とを備えていることを特徴とするバーチャル３Ｄボディ作成システム。
【請求項２】
オーダーメイドの衣服を作成するために用いられるバーチャル３Ｄボディ作成システムにおいて、
顧客を撮影する撮影手段と、
該撮影手段の撮影結果に基づいて顧客の２Ｄシルエットボディデータを示す顧客２Ｄシルエットボディデータを作成するシルエット抽出手段と、
該シルエット抽出手段により抽出された２Ｄシルエットボディデータに基づいて、予め３Ｄスキャナシステムを用いた計測によって得られた複数の基準体３Ｄボディデータを記憶する３Ｄボディデータベース中から、前記顧客２Ｄシルエットボディデータと近似の基準体３Ｄボディデータを選択する近似データ選択手段と、
前記シルエット抽出手段により抽出された２Ｄシルエットボディデータに基づいて、前記近似の基準体３Ｄボディデータを変形する変形手段とを備えていることを特徴とするバーチャル３Ｄボディ作成システム。
【請求項３】
撮影手段は、顧客を正面及び側面から撮影することを特徴とする請求項２に記載のバーチャル３Ｄボディ作成システム。
【請求項４】
撮影手段は、顧客を斜方から撮影することを特徴とする請求項２又は３に記載のバーチャル３Ｄボディ作成システム。
【請求項５】
シルエット抽出手段により抽出された顧客２Ｄシルエットボディデータから基準点データを抽出する基準点抽出手段を備えており、
近似データ選択手段は、該基準点抽出手段により抽出された基準点データにも基づいて、近似の基準体３Ｄボディデータを選択することを特徴とする請求項２から４の何れかに記載のバーチャル３Ｄボディ作成システム。
【請求項６】
シルエット抽出手段により抽出された顧客２Ｄシルエットボディデータから基準点データを抽出する基準点抽出手段を備えており、
変形手段は、該基準点抽出により抽出された基準点データにも基づいて、近似の基準体３Ｄボディデータを変形することを特徴とする請求項２から５の何れかに記載のバーチャル３Ｄボディ作成システム。
【請求項７】
３Ｄボディデータベースには、少なくとも性別毎、及び体型別毎に複数の基準体３Ｄボディデータが記憶されていることを特徴とする請求項１から６の何れかに記載のバーチャル３Ｄボディ作成システム。
【請求項８】
請求項１から５の何れかに記載のバーチャル３Ｄボディ作成システムと、
該バーチャル３Ｄボディ作成システムより得られた顧客３Ｄボディデータに基づいて型紙を作成する型紙作成手段とを備えていることを特徴とするオーダーメイド用型紙作成システム。
【発明の詳細な説明】
【技術分野】
【０００１】
本発明は、顧客の要望に応じた衣服を作成するために用いられるバーチャル３Ｄボディ作成システム、及び、そのバーチャル３Ｄボディ作成システムを備えるオーダーメイド用型紙作成システムに関する。
【背景技術】
【０００２】
従来においては、オーダーメイドの衣服を作成する場合、店員が客の体の寸法を測定し、それに基づいて、型紙を作成・修正して、衣服を作成していた。
【発明の開示】
【発明が解決しようとする課題】
【０００３】
ここで、顧客（被写体）の体型を測定するに当たっては、店員がバスト等をメジャーで直接に測定していた。しかしながら、メジャーでの正確な測定には熟練が必要であること、測る人によって差があること、顧客によっては他人に触れられることを嫌がる人がいることなどの問題があった。
【０００４】
他方、３Ｄスキャナシステム（「３次元スキャナシステム」ともいう）によって顧客の体型を測定すれば、顧客の体型を正確に測定することができる。しかしながら、３Ｄスキャナシステムは、１千万程度し、各店舗毎に設置することは困難であるという不具合があった。また３Ｄスキャナシステムで計測すると、その計測データの、計測器から影になる部分に穴ができたり、境界部分が崩れてしまうといった不具合があった。
【０００５】
そこで、案出されたのが本発明であって、本発明は、３Ｄスキャナシステムを各店舗毎に設置しなくても顧客の体型に即した顧客３Ｄボディデータを安価にかつ簡単に得ることができるバーチャル３Ｄボディ作成システム、及び、そのバーチャル３Ｄボディ作成システムを備えることにより、３Ｄスキャナシステムを用いなくても顧客の体型に即した型紙を製造することができる、オーダーメイド用型紙作成システムを提供することを目的としている。
【課題を解決するための手段】
【０００６】
以下、独立形式の請求項に重点をおいて説明する。
（バーチャル３Ｄボディ作成システム）
請求項１記載のバーチャル３Ｄボディ作成システムは、オーダーメイドの衣服を作成するために用いられるものであって、顧客を正面及び側面から撮影する撮影手段と、該撮影手段の撮影結果に基づいて顧客の正面及び側面からのシルエットを示す顧客２Ｄ（２次元のこと、本明細書および特許請求の範囲について同じ。）シルエットボディデータを作成するシルエット抽出手段と、該シルエット抽出手段により抽出された顧客２Ｄシルエットボディデータから基準点データを抽出する基準点抽出手段と、該基準点抽出手段により抽出された基準点データに基づいて、予め３Ｄスキャナシステムを用いた計測によって得られた複数の基準体３Ｄボディデータを記憶する３Ｄボディデータベース中から、前記顧客２Ｄシルエットボディデータと近似の基準体３Ｄボディデータを選択する近似データ選択手段と、前記基準点抽出手段により抽出された基準点データに基づいて、前記近似の基準体３Ｄボディデータを変形する変形手段とを備えていることを特徴としている。
【０００７】
また、請求項２記載のバーチャル３Ｄボディ作成システムは、顧客を撮影する撮影手段と、該撮影手段の撮影結果に基づいて顧客の正面及び側面からの２Ｄシルエットボディデータを示す顧客２Ｄシルエットボディデータを作成するシルエット抽出手段と、該シルエット抽出手段により抽出された２Ｄシルエットボディデータに基づいて、予め３Ｄスキャナシステムを用いた計測によって得られた複数の基準体３Ｄボディデータを記憶する３Ｄボディデータベース中から、前記顧客２Ｄシルエットボディデータと近似の基準体３Ｄボディデータを選択する近似データ選択手段と、前記シルエット抽出手段により抽出された２Ｄシルエットボディデータに基づいて、前記近似の基準体３Ｄボディデータを変形する変形手段とを備えていることを特徴としている。
【０００８】
以上の構成を有するバーチャル３Ｄボディ作成システムによれば、顧客の正面及び側面からの撮影結果をシルエット化して顧客２Ｄシルエットボディデータを得る。その後、予め３Ｄスキャナシステムを用いた計測によって得られ且つ３Ｄボディデータベースに記憶されている基準体３Ｄボディデータの中から、顧客２Ｄシルエットボディデータと最も近似する基準体３Ｄボディデータが選択される。その後、２Ｄシルエットボディデータに基づいて、基準体３Ｄボディデータが変形される。このため、顧客３Ｄボディデータを作成するに当たり、変形に無理が生じない。よって、３Ｄスキャナシステムを用いなくても、顧客の体型に即した（顧客の体型と整合する）３Ｄボディデータが得られる。ここで、一つの３Ｄボディデータのみをもって種々の顧客３Ｄボディデータを得ようとすると、理論上は変形が上手くいくはずであるが、実際には変形に無理があって、顧客の体型と整合しないボディデータとなってしまうことを本願発明者は確認している。
【０００９】
請求項３から５に記載のバーチャル３Ｄボディ作成システムは、請求項１又は２の少なくとも一方を引用しており、請求項１又は２に記載のバーチャル３Ｄボディ作成システムと同様の作用を奏する。
（オーダーメイド用型紙作成システム）
前記目的を達成するために、特許請求の範囲に記載のオーダーメイド用型紙作成システムは、請求項１から５の何れかに記載のバーチャル３Ｄボディ作成システムと、該バーチャル３Ｄボディ作成システムより得られた顧客３Ｄボディデータに基づいて型紙を作成する型紙作成手段とを備えていることを特徴としている。
【００１０】
このように構成されたオーダーメイド用型紙作成システムによれば、３Ｄスキャナシステムを用いなくても、顧客の体型に即した顧客３Ｄボディデータが得られるので、型紙作成手段は、かかるデータに基づいて、型紙を作成する。
【発明の効果】
【００１１】
本発明のバーチャル３Ｄボディ作成システムによれば、３Ｄスキャナシステムを各店舗毎に設置しなくても、３Ｄスキャナシステムを用いた場合と同等なボディデータを得ることができる。換言すれば、３Ｄスキャナシステムを各店舗毎に設置しなくても顧客の体型に即した顧客３Ｄボディデータを安価にかつ簡単に得ることができるという効果がある。更に、３Ｄスキャナシステムにより顧客の体型を測定すると、境界部分が崩れたり、孔が空く等して修正を要するが、かかる修正作業を省略することができるという効果もある。
【００１２】
他方、本発明のオーダーメイド用型紙作成システムにおいては、３Ｄスキャナシステムを用いなくても、顧客の体型に即した型紙を安価に製造することができるという効果がある。
【発明を実施するための最良の実施の形態】
【００１３】
以下、添付図面を参照して、本発明の好適な実施の形態の例（実施例）について説明する。勿論、本発明の技術的範囲は、下記実施例そのものに何ら限定されるものではない。
【００１４】
図１は、オーダーメイドシステム１００の概略図であり、図２は、オーダーメイドシステムの処理を示す図である。図１に示すように、オーダーメイドシステム１００は、各店舗Ａ，Ｂ，Ｃ毎に設置されたカメラ１１０及びパーソナルコンピュータ（以下、「店舗側ＰＣ」という。）１２０（図中においては、３つ）と、管理者Ｋ側に設置されたサーバの役割を果たすパーソナルコンピュータ（以下「管理者側サーバＰＣ」という。）１３０と、各工場Ｘ，Ｙ，Ｚ毎に設置されたパーソナルコンピュータ（以下、「工場側ＰＣ」）１４０（図中においては、３つ）とがインターネットＩで接続されることにより構成されている。そして、特許請求の範囲の請求項１〜５に記載のバーチャル３Ｄボディ作成システムは、カメラ１１０、店舗側ＰＣ１２０、及び、管理者側サーバＰＣ１３０によって構成され、特許請求の範囲の請求項６に記載のオーダーメイド用型紙作成システムは、カメラ１１０、店舗側ＰＣ１２０、管理者側サーバＰＣ１３０、及び、工場側ＰＣ１４０によって構成される。勿論、管理者側サーバＰＣ１４０が、店舗側ＰＣ１２０と同一つのＰＣであっても良いし、同一箇所（具体的には同一店舗内）に設置されたＰＣであっても良い。同様に、工場側ＰＣ１２０が、店舗側ＰＣ１２０及び管理者側サーバＰＣ１３０の少なくとも何れか一方のＰＣと同一つのＰＣであっても良いし、同一箇所に設置されたＰＣであっても良い。
【００１５】
カメラ１１０は、各店舗Ａ，Ｂ，Ｃ毎に設置されており、各店舗Ａ，Ｂ，Ｃに訪れた顧客（被写体）の画像を撮影するためのであって、特許請求の範囲および明細書（以下、「特許請求の範囲等」という。）に記載の撮影手段の一種である。
【００１６】
上記カメラ１１０による顧客の撮影は、無地の壁またはスクリーンの前で行われる。ここで、前もって格子状の校正用スクリーンのみを撮影しておくことにより、カメラ１１０のレンズの歪み具合を把握し、カメラ１１０で撮影した画像を修正することが可能となる。この画像修正データは、後述する店舗側ＰＣ１２０の記憶部に記憶される。一度、校正用スクリーンの撮影を行えば、カメラ１１０と被写体との距離が変更された場合、カメラ１１０のレンズが変更された場合、カメラ１１０自体が変更された場合以外は、基本的に行う必要はない。勿論、カメラ１１０は、デジタル式カメラであっても良いし、アナログ式カメラであっても良く、アナログ式カメラの場合には、スキャナ（図示せず）で読み取れば良い。
【００１７】
店舗側ＰＣ１２０は、演算処理部（図示せず）、記憶部（図示せず）、表示部（図示せず）、操作部（図示せず）、及び、通信制御部（図示せず）によって構成されており、カメラ１１０によって撮影された顧客の正面図及び側面図の画像データを取り込むとともに、その取り込んだ画像データをシルエット化して顧客２Ｄシルエットボディデータを作成し、更に、その顧客２Ｄシルエットボディデータより基準点データを抽出するものである。すなわち、店舗側ＰＣ１２０は、特許請求の範囲等に記載の顧客２Ｄシルエット作成手段、及び基準点抽出手段に相当する。
【００１８】
次に、図３から図５を参照して、店舗側ＰＣ１２０で実行される処理について具体的に説明する。まず、カメラ１１０によって撮影された顧客の正面及び側面を示す撮影画像データより顧客２Ｄシルエットボディデータを作成する処理について詳細に説明する。
【００１９】
顧客２Ｄシルエットボディデータを作成するに当たっては、まず、修正用データを用いて、店舗側ＰＣ１２０の記憶部に記憶されている撮影画像データを修正する。すなわち、カメラのレンズによる歪みを修正する。次に、背景とのコンストラスト比により、２Ｄシルエットボディデータを作成する。
【００２０】
２Ｄシルエットボディデータより３Ｄボディデータを作成する方法の詳細については後述するが、このように各店舗Ａ，Ｂ，Ｃにおいては、カメラ１１０を設置するだけでよくなり、大がかりな３Ｄスキャナシステムを設置する必要がなくなる。これにより、顧客（被写体）の３次元ボディデータを安価かつ簡単に製造することができる。
【００２１】
次に、２Ｄシルエットボディデータから基準点を抽出する具体例を説明する。まず、正面２Ｄシルエットボディデータを上から水平に走査して、一番高い部分（頭頂点）、及び一番低い部分（床点）を導出する。次に、操作部を介して入力された身長から正面２Ｄシルエットボディデータの倍率を演算する。ここで、Ｘ軸は、頭頂点を通る上下線、即ち、身体の中心線とする。
【００２２】
その後、背景部−身体部−背景部となる組み合わせを探し、股点を導出する。股点の導出には、正面２Ｄシルエットボディデータを下から水平に走査すると、背景部−身体部−背景部−身体部−背景部となる。これを上に上げていくと、背景部−身体部−背景部となる直前の位置が導出する股点の位置となる。ただし、股点より下に手がある場合には、上記の外側に手のデータが入る可能性があるので、前項で導出したＸ軸の付近に股点があると仮定し、手のデータを除外する。
【００２３】
その後、サイドネック点（サイドネックポイントともいう、以下「ＳＮＰ」と記載する。）を導出する。正面２Ｄシルエットボディデータの上３分の１（１／３）の部分で、身体のＸ軸から左右に走査する。中心線付近では、上から背景部−身体部となるが、左右に進むと、背景部−身体部−背景部−身体部となる場所がある。そして、身体部と身体部に挟まれた背景の場所がＳＮＰとなる。
【００２４】
その後、肩点を導出する。上記のＳＮＰから、正面図を上から下に水平に走査する。右から、背景部−身体部−背景部となる点があるが、身体部は徐々に増えていく。増える量を調べて、増加量が少なくなる点が肩点となる。
【００２５】
更に、脇点を導出する。上記の肩点の走査を続けると、背景部−身体部−背景部−身体部−背景部−身体部−背景部となる場所がある。ここで、身体部と身体部とに挟まれた背景の場所が脇点となる。ただし、必ずしも、左右対称の点に脇があるとは限らないので、左右何れかの脇点が先に導出される点を考慮する。
【００２６】
以上のように、正面２Ｄシルエットボディデータを走査して、背景部と身体部との組み合わせを検出することにより、基準点を簡単に導出することが可能となる。特に、３次元スキャナシステムより得られた３Ｄボディデータから３次元的に直接導出する場合と比較すれば、顕著な効果を奏する。勿論、基準点を自動的に導出することができない場合には、手動入力により導出することも可能である。
【００２７】
次に、側面２Ｄシルエットボディデータを用いた、身体の基準点の捜索について説明する。まず、ヒップ点を導出する。先に正面２Ｄシルエットボディデータで導出した股点の位置を側面２Ｄシルエットボディデータに投影する。そして、側面２Ｄシルエットボディデータに投影された股点位置から上方向３０ｃｍ以内を走査し、後方向に一番突出している位置（一番凸の位置）がヒップ点となる。
【００２８】
次に、バスト点を導出する。先に正面２Ｄシルエットボディデータで導出した肩点の位置を側面２Ｄシルエットボディデータに投影する。そして、側面２Ｄシルエットボディデータに投影された肩点位置から下方向３０ｃｍ以内を走査し、前方向に一番突出している位置がバスト点となる。
【００２９】
更に、ウエスト点を導出する。先に側面２Ｄシルエットボディデータで導出したバスト点とヒップ点との間を走査する。身体部の長さが一番狭い箇所（一番凹んでいる位置）がウエスト点となる。これで、全ての基準点の導出が終了する。
【００３０】
以上のように、側面２Ｄシルエットボディデータを走査して、その凹凸を検出することにより基準点を簡単に導出することが可能となる。
【００３１】
勿論、正面２Ｄシルエットボディデータ又は側面２Ｄシルエットボディデータより、基準点を自動的に導出することができない場合には、手動入力により基準点を導出することが可能とされている。そして、これら、２Ｄシルエットボディデータおよび基準点データは、通信制御部を介して、管理者側サーバＰＣ１３０へ送信される。
【００３２】
また、顧客側ＰＣ１２０においては、詳細は後述する管理者側サーバＰＣ１３０によって作成された顧客３Ｄボディデータ（顧客の体型に即した（非常に近似の）ボディデータ）に、顧客の好みの衣服がバーチャルに試着される。最終的に衣服が決定すれば、衣服情報データ（形状、絵柄、サイズ、生地等の情報データ）が再度、通信制御部を介して管理者側サーバＰＣ１３０へ送信される。
【００３３】
管理者側サーバＰＣ１３０も、店舗側ＰＣ１２０と同様に、演算処理部（図示せず）、データベース（記憶手段の一種、図示せず）、表示部（図示せず）、操作部（図示せず）、通信制御部（図示せず）等によって構成されており、店舗側ＰＣ１２０より送信された顧客２Ｄシルエットボディデータより顧客３Ｄボディデータを作成するとともに、その作成した顧客３Ｄボディデータを店舗側ＰＣ１２０へ送信（店舗側ＰＣ１２０より閲覧可能とすることを含む）するものである。管理者側サーバＰＣ１３０は、特許請求の範囲の近似データ選択手段、変形手段および型紙作成手段に相当する。なお、近似データ選択手段、変形手段は、顧客側ＰＣ１２０によって実現することも可能であり、型紙作成手段は、工場側ＰＣ１４０によって実現することも可能である。
【００３４】
ここで、顧客２Ｄシルエットボディデータより顧客３Ｄボディデータを作成する方法（手順）について説明する。まず、予め、３次元スキャナシステムを用いて、変形の基準となる複数の老若男女であって種々の体型の人達のボディ（体型）を３次元計測して、管理者側サーバＰＣ１３０のデータベースに記憶しておく。次に、店舗側ＰＣ１２０より送信される顧客２Ｄシルエットボディデータおよび基準点データ、更には操作部を介して入力された身長データ、性別データおよび年齢データに基づいて、データベースに記憶されている基準体３Ｄボディデータの中から最も近似のボディデータを選択する。ここで、２Ｄシルエットボディデータに基づいて選択処理するには、まず、身長データに基づいて２Ｄシルエットボディデータの高さを基準体３Ｄボディデータの高さに合わせる（逆に、基準体３Ｄボディデータの高さを２Ｄシルエットボディデータの高さに合わせても良い）。次に、２Ｄシルエットボディデータと基準体３Ｄボディデータとの重複面積（少なくとも各部位毎又は全体の何れか一方）と非重複面積との比率に基づいて実行される。他方、基準点データに基づいて選択処理するには、２Ｄシルエットボディデータの基準点より得られた体型情報に基づいて行われる。具体例としては、正面又は側面の少なくとも何れか一方のシルエットボディデータより得られたウエスト点（バスト点、ヒップ点）を他方のシルエットボディデータに当てはめる等して得られたウエスト幅（バスト幅、ヒップ幅）を、基準体３Ｄボディデータの体型情報と比較することにより行われる。体型情報には、両ＳＮＰ間の長さから得られた首周りの長さや、両肩点から算出された肩幅も含まれる。そして、両比較結果に基づいて、最も近似の基準体３Ｄボディデータが選択されるのである。
【００３５】
更に、選択された基準体３Ｄボディデータを上述の顧客２Ｄシルエットボディデータ又は基準点データの少なくとも何れか一方のデータに基づいて変形させる。これにより、顧客の体型に即した（換言すれば、非常に近似の）３Ｄボディデータ（顧客３Ｄボディデータ）を得ることができる。そして、この変形後の３Ｄボディデータを送信元の店舗側ＰＣ１２０へ返信するのである。
【００３６】
このように、一つの箇所にのみ３次元スキャナシステムを設置するだけ（各店舗毎に設置することなく）で顧客の体型に即したボディデータを得ることができ、システム全体を安価とすることも可能となる。また、このように幅広い年齢および多様な体型の人達のボディを計測することによって、変形処理を行っても、無理のない変形が避けられ、理論倒れすることなく非常に近似の３Ｄボディデータを得ることが可能となる。更に、３次元スキャナシステムを用いてボディを計測すると、境界部分が崩れたり穴が空くなど、修正を要するが、そのような修正作業を毎回必要としなくて済む。更には、第三者が３次元スキャナシステムにより予め測定したボディデータを得ることができれば、システム全体より３次元スキャナシステムを無くすことも可能である。
【００３７】
更に、管理者側サーバＰＣ１３０においては、顧客側ＰＣ１２０より衣服情報データを受信した場合には、その衣服情報データ、顧客３Ｄボディデータ、及び、基準点データに基づいて、顧客に応じた型紙（顧客専用型紙）データが作成される。具体的には、予め、体型の相似する複数の基準体３Ｄボディデータに対応つけて一つの標準形型紙データが記憶部に記憶されており、衣服情報データを受信した際に、顧客３Ｄボディデータと基準体３Ｄボディデータが比較される。そして、その比較結果（差異）に基づいて、標準形型紙データが修正されることにより、より具体的には、標準形型紙データが部分的又は全体的に拡大もしくは縮小（換言すれば、相似的に拡大又は縮小）されることにより、顧客専用型紙データが作成される。よって、顧客の体形に即した型紙を安価、かつ簡単（簡素なプログラム）で実現することができる。
【００３８】
工場側ＰＣ１４０は、管理者側サーバＰＣ１３０より送られる縫製情報（衣服情報データおよび対応する顧客専用型紙データ）に基づいて型紙作成装置（図示せず）および衣服製造装置（図示せず）に命令を出すものである。そして、工場で作成された衣服は、顧客（消費者）に配達される。
【００３９】
次に、図１及び図２を参照して、本オーダーメイドシステム１００において実行される処理について、順を追って説明する。
【００４０】
まず、店舗Ａ（又はＢ，Ｃ）において、顧客（被写体）の正面と側面がカメラ１１０によって撮影される（Ｄ１）。その後、店舗側ＰＣ１１０によって、カメラ１１０の撮影結果より、シルエットが抽出される（Ｄ２）。その後、店舗側ＰＣによって、顧客２Ｄシルエットボディデータより基準点が抽出される（Ｄ３）。その後、顧客２Ｄシルエットボディデータおよび基準点データが店舗側ＰＣ１２０より管理者側サーバＰＣ１３０へ送信されるとともに、管理者側サーバＰＣ１３０により、顧客３Ｄボディデータが作成される（Ｄ４，Ｄ５）。その後、顧客３Ｄボディデータが顧客側ＰＣ１２０へ送信されるとともに衣服が選定されると、その衣服情報データが顧客側ＰＣ１２０から管理者側サーバＰＣ１３０へ送信される。その後、管理者側サーバＰＣ１３０により、標準３Ｄボディデータと顧客３Ｄボディデータの差に基づいて、標準形型紙が修正され、顧客専用型紙が作成される（Ｄ６）。その後、この顧客専用型紙データは、管理者側サーバＰＣ１３０により、何れかの工場Ｘ，Ｙ，Ｚのうち何れかに設置の工場側ＰＣ１４０へ送信される。
【００４１】
以上、実施例に基づき本発明を説明したが、上記実施例は、本発明の趣旨を逸脱しない範囲内で種々の改良変形が可能であることはいうまでもなく、本発明の技術的範囲には、これらの改良変形も含まれる。
【００４２】
例えば、上記実施例においては、カメラ１１０による顧客の撮影の前に前もって格子状の校正用スクリーンのみの撮影が行われる。しかしながら、このような前提処理は必ずしも行わなくてもよく、校正用スクリーンとともに顧客を撮影しても良いし、所定マークとともに顧客を撮影するようにしても良い。これにより、カメラ１１０と顧客との距離を考慮することなく（気にすることなく）撮影することができる。ただし、この場合には、校正用スクリーンの格子の形状および大きさ、所定マークの形状および大きさをデータ入力しておく必要がある。
【００４３】
また、上記実施例においては、顧客３Ｄボディデータの作成は、２Ｄシルエットボディデータおよび基準点データ（操作部を介して入力されるデータを考慮から除く。）に基づいて、基準体３Ｄボディデータを選択処理および変形処理することにより実行される。しかしながら、基準体３Ｄボディデータの選択処理および変形処理は、２Ｄシルエットボディデータ又は基準点ボディデータの何れか一方のみに基づいて、実行されるように構成しても良い。ここで、２Ｄシルエットボディデータにのみ基づいて基準体ボディデータを選択および変形するように構成すれば、撮影手段により顧客を撮影する場合に、正面および側面から撮影しなくても、例えば、撮影処理を簡略化することが可能となる。具体的には、正面のみ、側面のみ、斜方（側方斜めのみならず、上方斜め、下方斜め）のみから撮影すればよくなるという利点がある。勿論、正面および側面に加えて、斜方や上方向等を撮影しても良い。更に、２Ｄシルエットボディデータのみに基づいて基準体ボディデータを選択処理および変形処理する場合には、基準点を抽出する処理（図２中のＤ３の処理）を省略するように構成すれば良い。
【図面の簡単な説明】
【００４４】
【図１】本発明の実施例を包含するオーダーメイドシステムの概略図である。
【図２】かかるオーダーメイドシステムで実行される処理を示す図である。
【図３】２Ｄ正面シルエットデータに基づいて、基準点のうち、（ａ）頭頂点および床点、ならびに（ｂ）股点を導出する処理を示す図である。
【図４】２Ｄ正面シルエットデータに基づいて、基準点のうち、（ａ）サイドネック点（ＳＮＰ）、ならびに（ｂ）肩点および脇点を導出する処理を示す図である。
【図５】２Ｄ側面シルエットデータに基づいて、基準点のうち、（ａ）ヒップ点、（ｂ）バスト点、及び（ｃ）ウエスト点を導出する処理を示す図である。
【符号の説明】
【００４５】
１００      オーダーメイドシステム
１１０      カメラ
１２０      店舗側ＰＣ
１３０      管理者側サーバＰＣ
１４０      工場側ＰＣ
Ａ，Ｂ，Ｃ  店舗
Ｋ          管理者
Ｉ          インターネット
Ｘ，Ｙ，Ｚ  工場
【図１】
2006059143.tif 000003
【図２】
2006059143.tif 000004
【図３】
2006059143.tif 000005
【図４】
2006059143.tif 000006
【図５】
2006059143.tif 000007